(57)【要約】【課題】  従来の畜産糞尿及びＰＳ灰の処分処理の困窮する問題点を解決し、今後も多量に発生することが予想される畜産糞尿及びＰＳ灰を、簡便かつ効率的に肥料に作り替え使用することで、産業・社会資源としての再利用を図ることができる多機能肥料の製造方法を提供すること。【解決手段】  畜産糞尿を可能な限り揮発させ、自然乾燥した乾燥糞、又は、堆積熟成させた発酵糞を作り、それにＰＳ灰を混合して、多機能性を保持さすために光合成素材及び乳酸菌等を加えた肥料を製造する。  本肥料は、安価で、ＰＳ灰が保持する多孔質やフカフカ牛糞で空気を保持させ保水性を高め、臭気を脱臭させ、窒素、リン、カリウム、マグネシウム、カルシウム等バランスある栄養素を含み、且、光合成により炭水化物を生成させ高栄養価の食物を作り、又、乳酸菌入り作物を摂取する人の体内に乳酸菌等を保持させ、免疫力のある体力づくりに役立てることを特徴とする多機能肥料製造に関するもの。【選択図】なし【特許請求の範囲】
【請求項１】
牛糞、豚糞及び鶏糞等の畜産糞尿を、揮発及び自然乾燥をさせた乾燥糞であることを特徴とする肥料。
【請求項２】
牛糞、豚糞及び鶏糞等の畜産糞尿を揮発させ、水分がある程度保持されている畜産糞尿を堆積させ、酵素による糞尿を分解させた発酵糞であることを特徴とする肥料。
【請求項３】
上記請求項１及び２にＰＳ灰を混合し、強酸の糞尿を高アルカリのＰＳ灰を混合さすことによりｐｈを中性とし、ＰＳ灰の多孔質内で空気を保持させ保水力及び脱臭効果を高めたことを特徴とする肥料。
【請求項４】
上記請求項１から３に光合成物質の葉緑素やクロロフィル等を添加して、水と二酸化炭素から炭水化物を生成し、葉や実の養分を多くして植物の成長を促進さすことを特徴とする肥料。
【請求項５】
上記請求項１から４に乳酸菌等を添加して、摂取した人間の腸内で病原菌の免疫力を高める働きを保持することを特徴とする肥料。
【請求項６】
上記請求項１から５までの各原料を団粒化又は粉体としたことを特徴とする肥料。
【発明の詳細な説明】
【技術分野】
【０００１】  本発明の発想と着眼は、畜産する牛、豚、鶏等の畜産場等で発生する糞尿（以下「畜産糞尿」という）、製紙会社の古紙製造過程で発生する製紙残渣を焼却したペーパースラッジ灰（以下「ＰＳ灰」という）、光合成物質及び畜産業で発生するチーズや牛乳等の廃棄物が保持する乳酸菌等を添加して、畜産糞尿やＰＳ灰等の産業廃棄物を産業廃棄物として処理するのではなく、それら廃棄物を資源とするリサイクル化の再利用を図る安全な有機肥料製品を作る製造方法に関するもの。
【背景技術】
【０００２】  従来より、畜産糞尿を自然乾燥及び発酵させた乾燥糞や発酵糞にして、これを団粒にしたりして肥料に使用しているが、住宅地隣接及び民家が点在する地区で畜産業を営み、付近に悪臭や糞にたかるハエ等を発生させ、近隣を含め不衛生で環境は悪化しており、飼育量の増大とともにその畜産糞尿も膨大な量に達している。一部肥料として利用されているが、大半がその有効的処理対策がなく畜産糞尿の処理に困窮している。【０００３】  一方、製紙会社から排出されるＰＳ灰は、製紙会社、建築会社、土木会社及びセメント会社等が製紙再利用原料、道路路床、河川堰堤資材、セメント製品等に再利用する他、特許出願及び新技術の開発や研究を基に、再利用する際の製造過程が複雑で高額な再生処理費用が掛かり、現在に至るもその再利用方法は定着しておらず、相当量が堆積されたり、不明朗な投棄処分をしたり、その処分処理に困窮している。【０００４】  これら、畜産糞尿とＰＳ灰の処理処分が問題となっており、処理の開発及び研究がなされている。【０００５】  我が国の、経済発展は戦後目覚ましいものがあるが、特に資源も持たない我が国が発展した主要因は、基幹産業の製鉄、造船、各種石化燃料を基礎とする化学製品を製造加工する技術でもって産業界の発展の結果に得られたものと解する。これら経済発展をもたらした製品を陽とすれば、これら産業から排出される産業廃棄物は陰の関係であると解される。
現在まで、陽の部分に着目した技術革新が図られたが、今後は陰の部分の産業廃棄物の処分処理及びリサイクル化が、有限な資源を有効活用し、ひいては低炭素社会を構築する上でより重要となってくる。【０００６】  又、農業や畜産分野において休耕田対策や飼育補助金等を提供して、農業や畜産業を補助しているが、技術革新分野の対策補助は不十分である。【０００７】  我が国及び世界の産業構造がグローバル化し、複雑化し、多様化しており、産業廃棄物は一時輸出をしていたが、輸入国からは当該廃棄物を受け入れしない旨通達され、我が国は今まで以上にきめの細かい産業廃棄物処分処理及びリサイクル化を図る必要にせまられている。産業廃棄物も見方を変えれば立派な資源であり、その資源の再有効利用が強く望まれている。農業や畜産の分野も同様である。【０００８】  本発明は、畜産糞尿及びＰＳ灰の産業廃棄物を単なる処理処分からその廃棄物を資源として再利用し、新たな肥料を製造し、ともすれば化学肥料に頼りがちな肥料を自然界になじむ有機肥料として作り替え、食物の安全化と無添加の自然栽培を促進させ、質の高い野菜等の生育においてこれら畜産糞尿とＰＳ灰の資源化及びリサイクル化を通して多機能有機肥料を製造する。【０００９】  これら主として２種類の産業廃棄物を主剤とする肥料として、地力を回復させ、化学肥料を使用しない自然由来の作物を作ることに貢献できる目的をもって、再利用リサイクル化した肥料の製造を目指すものである。
【参考文献】
【００１０】  参考文献として、ＰＳ灰や畜産糞尿や汚泥を混入して有機肥料とするものがある。特許文献  特開２００２−４７０８５
【発明の概要】
【発明が解決しようとする課題】
【００１１】  本発明は、以上のような処分に困窮している現状に着目し、畜産糞尿とＰＳ灰を主剤とする新たな肥料づくりにより、畜産糞尿とＰＳ灰の処分処理の困窮を救い、再利用を課題とする。
【課題を解決するための手段】
【００１２】  本発明は、前記課題を解決する手段として以下のことを提供する。【００１３】▲１▼畜産糞尿に含有される石灰又は石灰の添加により、水和反応熱を発生させ、糞尿の揮発を促進さす。
▲２▼畜産糞尿を可能な限り揮発させた自然乾燥糞及びある程度乾燥させた糞尿を堆積させて酵素分解をした発酵糞の２種類を作る。
▲３▼これら自然乾燥糞と堆積熟成させた発酵糞（以下「発酵糞等」という）の２種類の発酵糞等に、ＰＳ灰を混合さす。
▲４▼混合比率は発酵糞等とＰＳ灰を各５０％とするが、ともすれば強酸性となりｐｈの調整が必要ある場合、高アルカリ性のＰＳ灰を適宜多く配合し、中性に変更させるｐｈ調整剤の役割も兼ねる。
▲５▼発酵糞等の成分特に鶏糞は、窒素２〜４％、リン酸３〜４％、カリウム２〜４％とバランスよく含まれている
▲６▼又、鶏糞は、餌から摂取するリン酸カルシウム、炭酸カルシウム、マグネシウム、石灰等を含んでいる。
▲７▼ＰＳ灰は、元来木質系をチップにして製紙しており、その残渣はほとんどが有機残渣であり、発酵糞等の有機となじみやすい。
▲８▼ＰＳ灰は、製造過程にもよるがフッ素を１％程度以下を含んでいる場合があり、発酵糞等とＰＳ灰を混合した本発明の肥料は、土に埋設することで、水和反応を起こしフッ素を発生さすが、これの防止及び抑制が肝要である。
▲９▼しかしながら、畜産糞尿には餌の未消化分であるリン酸カルシウムや炭酸カルシウムを含有している。
▲１０▼ＰＳ灰に含有されているフッ素は、リン酸カルシウム又は塩酸カルシウムを配合することにより、フッ素がこれらと結合してフッ化カルシウムとなりフッ素の発生を防止抑制することができる。例えば、フッ化カルシュウムは、フッ素とカルシュウムからなる無機化合物であり、フッ素化合物の原料となる物質である。このフッ化カルシュウムは自然界では蛍石と呼ばれて存在しており高い安全性が確認されている。
参考文献  特許出願平成３０年１２月２１日  特願平２０１８−２３９４６７
▲１１▼光合成細菌の葉緑素やクロロフィル等を添加して、植物が持つ光合成能力を促進させ、デンプン等の炭水化物を生成させ食物の成長を促進さす。
▲１２▼乳酸菌等の微生物細菌を添加して、食物を摂取する時と同時に乳酸菌も摂取して、人の体内の腸内細菌を増殖させ、免疫力向上の補助的役割をする。
▲１３▼ＰＳ灰はシリカ系で、多孔質１０ｎｍから１０００ｎｍのポーラス状を保持し、保水性が高く、発酵糞等と混ざることで団粒化を容易にするほか、臭気を脱臭させる特徴がある。
▲１４▼更に、ＰＳ灰の多孔質とフカフカの牛糞が土と混ざることで空気を土に送り込み、保水力を高め土を柔らかくする特徴がある。
【発明の効果】
【００１４】  本発明によれば、従来、大量に発生する畜産糞尿の処分処理、ＰＳ灰の処分処理の問題点を解決し、今後も多量に発生するこれら２つの廃棄物を主原料として、有機肥料を作り、資源の有効利用及び再利用の促進を図る。
【発明を実施するための形態】
【００１５】  本発明は、最初に畜産糞尿の尿を、可能な限り自然乾燥で揮発させて臭気を取り除く。
【００１６】  自然乾燥の他、石灰等を添加して水と混ざることで水和反応熱を発生させ、その発熱で早期揮発を促すこともできる。
【００１７】  畜産糞尿を別途置場で、自然乾燥させた乾燥糞とする。
【００１８】  上記とは別に、畜産糞尿を堆積させ、熟成させ発酵糞とする。
【００１９】  これら乾燥糞又は発酵糞に別々にＰＳ灰等を混入して乾燥糞及び発酵糞タイプの２種類（以下「発酵糞等」という）の肥料を作るが、以後は、これら２種類は同一作業にて製造するので、説明は同一とする。
【００２０】  発酵糞等とＰＳ灰の配合比率は各５０％とするが、尿酸等を多く保持する場合は、中性を保つためにＰＳ灰を適宜多く配合する。
【００２１】  畜産糞尿の成分特に鶏糞は、窒素２〜４％、リン酸３〜４％、カリウム２〜４％とバランスよく含まれて、又、餌から摂取するリン酸カルシウム、炭酸カルシウム、マグネシウム、石灰等を含んでいる。
【００２２】  ＰＳ灰は、製造過程にもよるがフッ素を１％程度以下を含む場合があり、発酵糞等とＰＳ灰を混合した本発明の肥料は、土に埋設することで、水和反応を起こしフッ素を発生さす。これの防止及び抑制が肝要であるが、発酵糞等には餌の未消化分であるリン酸カルシウムや炭酸カルシウムを含有している。
【００２３】  ＰＳ灰に含有されているフッ素は、リン酸カルシウム又は塩酸カルシウムを配合することにより、フッ素がこれらと結合してフッ化カルシウムとなりフッ素の発生を防止抑制することができる。例えば、フッ化カルシュウムは、フッ素とカルシュウムからなる無機化合物であり、フッ素化合物の原料となる物質である。このフッ化カルシュウムは自然界では蛍石と呼ばれて存在しており高い安全性が確認されている。
これのフッ素発生対策は、本件申請者が下記特許出願にて完了している。
参考文献  特許出願平成３０年１２月２１日  特願平２０１８−２３９４６７
【００２４】  光合成細菌の葉緑素やクロロフィル等を添加して、植物が持つ光合成能力を促進させ、デンプン等の炭水化物を生成させ食物の成長を促進さす。
【００２５】  別に、乳酸菌等の微生物細菌を添加して、食物を摂取すると同時に乳酸菌も摂取して、人の体内の腸内細菌を増殖させ、免疫力向上の補助的役割をする。
【００２６】  発酵糞等がＰＳ灰と混合する事で、ＰＳ灰はシリカ系で、多孔質１０ｎｍから１０００ｎｍのポーラス状を保持し、保水性が高く、発酵糞等と混ざることで団粒化を容易にするほか、臭気を脱臭させる特徴がある。
【００２７】  ＰＳ灰は高アルカリ性で、発酵糞等は酸性であり、ＰＳ灰はｐｈ調整剤としても使用できる。
【００２８】  発酵糞等に、光合成作用をする葉緑素やクロロフィル等を添加する。
これにより、光エネルギーを利用して水と二酸化炭素から有機物である炭水化物等を生成させ、植物の成長を補助し、葉や実に養分をいきわたらせ、栄養化の高い果物等の収穫を促進さす。別に、酸素を発生させ、低炭素社会構築に貢献する。
【００２９】  次に、乳酸菌を添加する。乳酸菌には、飲食できないチーズや牛乳などを添加してもよい。
この乳酸菌は、土壌内の植物の根から吸収されて、植物を摂取した人間の腸内に残留し、乳酸菌腸内菌は人間が持つ病原菌の免疫力を活発化させ、免疫システムを正常化させる働きを有する植物となり、人の健康づくりに役立て人間社会に貢献する。
【００３０】  最後に、堆積し熟成させた発酵糞や乳酸菌等は熱に弱いので、高熱でペレットを製造するのでなく、熱を利用しない打錠機で圧縮し団粒させ、有機肥料として製品化する。
【００３１】  別に、高熱処理をして発酵糞等をペレット状に団粒させる場合は、自然乾燥糞を使用し、熱に弱い発酵菌や乳酸菌等入りの糞尿は使用しない。
【００３２】  この肥料は以下の特徴を示す。
【００３３】  鶏糞や豚糞により、植物最大栄養素である、窒素、リン酸、カリウムを多く含むバランスの良い肥料となる。又、鶏糞はマグネシウムやカルシウムの成分を含んでいる。
【００３４】  牛糞やＰＳ灰の混合により、フカフカ感のある多孔質系ポーラスを保持する空気を多く含んだ保水性の高い肥料となる。
【００３５】  上記の他に、空気を含む空隙は臭気を脱臭させる効果を保持する。
【００３６】  光合成物質である葉緑素やクロロフィル等を添加することで、土壌内の水分と空気中の二酸化炭素から有機物であるでんぷん等の炭水化物等を生成し、この生成された養分で、葉や実を大きくおいしく成長さす効果を保持する。
【００３７】  さらに、乳酸菌等を添加して、根から吸収させた植物に乳酸菌を保持させ、これを摂取した人間の腸内において、人間が持つ免疫力を高める効果を促進さす。